(57)【特許請求の範囲】
【請求項１】
疾病マーカーを感知し得るプローブが固定されたセンサー；及び
眼球に接触するコンタクトレンズの内側面に外側に向けて引き入れられた形態の薬物ウェルに形成され、前記薬物ウェルは、金を含む電極パターンにより密封されている薬物貯蔵所を含み、
前記センサーで疾病マーカーを感知したとき、薬物貯蔵所の電極パターンの金が生体内の塩素にとけてＡｕＣｌ４−になりつつ薬物貯蔵所がオープンし、
前記疾病マーカーは、一酸化窒素（ＮＯ）、血管表皮成長因子（ＶＥＧＦ）及び糖からなるグループから選択された一つ以上であり、
前記薬物貯蔵所は、薬物；または薬物を放出し得る薬物伝達体、及び薬物放出制御物質を含み、
前記薬物は、ゲニステイン（genistein）またはタンパク質薬物であり、前記薬物伝達体は、前記タンパク質薬物を発現するウイルスベクターであり、
前記ウイルスベクターは、タンパク質薬物を暗号化する核酸配列を一つ以上含むＤＮＡカセットを含む組換えベクターにより製造された組換えウイルスであり、
前記ＤＮＡカセットは、テトラサイクリンまたはドキシサイクリンにより移入遺伝子の発現が制御されることを特徴とする眼内血管新生治療のためのコンタクトレンズ。
【請求項２】
前記コンタクトレンズは、シリコーンハイドロゲル（Ｓｉｌｉｃｏｎ  ｈｙｄｒｏｇｅｌ）、ポリ（２−ヒドロキシエチルメタクリレート）（ＰＨＥＭＡ）、ポリメタクリル酸メチル（ＰＭＭＡ）、ポリ（乳酸−グリコール酸）（ＰＬＧＡ）、ポリビニルピロリドン（ＰＶＰ）またはポリ酢酸ビニル（ＰＶＡ）を基盤とすることを特徴とする、請求項１に記載のコンタクトレンズ。
【請求項３】
前記プローブは、ヘミン（ｈｅｍｉｎ）及びアプタマーからなるグループから選択された一つ以上であることを特徴とする、請求項１に記載のコンタクトレンズ。
【請求項４】
前記センサーは、疾病マーカーがプローブに結合して現われる電流の変化を感知することを特徴とする、請求項１に記載のコンタクトレンズ。
【請求項５】
前記ウイルスベクターは、レトロウイルスベクター、バキュロウイルスベクター、パルボウイルスベクター、セムリキ森林ウイルス（ｓｅｍｉｌｉｋｉ  ｆｏｒｅｓｔ  ｖｉｒｕｓ）ベクター、カナリア痘ウイルス（ｃａｎａｒｙｐｏｘ  ｖｉｒｕｓ）ベクター、ワクチニアウイルス（ｖａｃｃｉｎｉａ  ｖｉｒｕｓ）ベクター、鶏痘ウイルス（ｖｏｗｌｐｏｘ  ｖｉｒｕｓ）ベクター、シンドビスウイルス（ｓｉｎｄｂｉｓ  ｖｉｒｕｓ）ベクター、アデノウイルスベクター、ピコドナウイルスベクター及びアルファウイルスベクターからなるグループから選択される一つ以上を含むことを特徴とする、請求項１に記載のコンタクトレンズ。
【請求項６】
前記ウイルスベクターは、レンチウイルスベクターであることを特徴とする、請求項１に記載のコンタクトレンズ。
【請求項７】
前記タンパク質薬物は、ＶＥＧＦＲ及びＰＤＧＦＲであることを特徴とする、請求項１に記載のコンタクトレンズ。
【請求項８】
前記タンパク質薬物は、Ｆｃが連結されている融合タンパク質であることを特徴とする、請求項７に記載のコンタクトレンズ。
【請求項９】
前記ＤＮＡカセットは、転写／翻訳開始核酸配列を介して連結された、ＶＥＧＦＲ−Ｆｃを暗号化する核酸配列と、ＰＤＧＦＲ−Ｆｃを暗号化する核酸配列と、を含むことを特徴とする、請求項８に記載のコンタクトレンズ。
【請求項１０】
前記転写／翻訳開始核酸配列は、ＩＲＥＳ（ｉｎｔｅｒｎａｌ  ｒｉｂｏｓｏｍｅ  ｅｎｔｒｙ  ｓｉｔｅ）核酸配列であることを特徴とする、請求項９に記載のコンタクトレンズ。
【請求項１１】
疾病マーカーを感知し得るプローブが固定されたセンサー；及び薬物貯蔵所を含み、
前記薬物貯蔵所は、（ａ）一面に非晶質シリコーン層が形成された透明基板の前記非晶質シリコーン層上にバッファー層を形成し、前記バッファー層の一部面に金を含む電極パターンを形成する段階；
（ｂ）前記電極パターンが形成されないバッファー層、及び電極パターン上に薬物が受容される薬物ウェルを含む薬物ウェル層を形成する段階；
（ｃ）前記薬物ウェル層上にプラスチック基板を積層する段階；
（ｄ）非晶質シリコーン層が形成されない透明基板の一面にレーザーを照射して非晶質シリコーン層を分離する段階、を通じて製造されることを特徴とするコンタクトレンズの製造方法。
【請求項１２】
段階（ｂ）は、電極パターンが形成されないバッファー層、及び電極パターン上にＳＵ８を形成した後、前記ＳＵ８をパターニングして開口部を有する薬物ウェルを形成し、
前記薬物ウェルの開口部は、電極パターン上に形成されることを特徴とする、請求項１１に記載のコンタクトレンズの製造方法。
【請求項１３】
段階（ｄ）を実行した後、バッファー層をパターニングして薬物ウェルと接触する電極パターンを露出させる段階を追加して含むことを特徴とする、請求項１１に記載のコンタクトレンズの製造方法。
【請求項１４】
段階（ｄ）を実行した後、薬物ウェル層上にＳＵ８層を蒸着し、
前記ＳＵ８層及びバッファー層をパターニングして薬物ウェルと接触する電極パターンを露出させる段階を追加して含むことを特徴とする、請求項１１に記載のコンタクトレンズの製造方法。
【請求項１５】
バッファー層をパターニングして電極パターンを露出させるとき、部分的に電極パターンを露出させることを特徴とする、請求項１３または請求項１４に記載のコンタクトレンズの製造方法。
【請求項１６】
疾病マーカーを感知し得るプローブが固定されたセンサー及び眼球に接触するコンタクトレンズの内側面に外側に向けて引き入れられた形態の薬物ウェルに形成され、前記薬物ウェルは金を含む電極パターンにより密封されている薬物貯蔵所を含む、請求項１に記載のコンタクトレンズ；及び
無線で電気的な信号を送信して前記コンタクトレンズのセンサー及び薬物貯蔵所の駆動を調節するスマート眼鏡を含むことを特徴とするシステム。
【請求項１７】
前記コンタクトレンズのセンサーは、スマート眼鏡から送信された電気的な信号を通じて駆動し、
前記信号が受信されたセンサーでは、疾病マーカーがプローブに結合して現われる電流の変化を感知し、その結果をＲＦ無線通信を通じて前記スマート眼鏡に送信することを特徴とする、請求項１６に記載のシステム。
【請求項１８】
前記コンタクトレンズの前記薬物貯蔵所は、スマート眼鏡から送信された電気的な信号を通じて駆動し、前記信号が受信された薬物貯蔵所では、前記薬物貯蔵所を密封する電極パターンの金が塩素にとけてＡｕＣｌ４−になりつつ前記電極パターンがオープンすることを特徴とする、請求項１６に記載のシステム。
【請求項１９】
前記スマート眼鏡の無線電気コイル（Ｗｉｔｒｉｃｉｔｙ  ｃｏｉｌ）から発生したパワーは、コンタクトレンズの無線電気アンテナ（Ｗｉｔｒｉｃｉｔｙ  ａｎｔｅｎｎａ）で受信され、ＩＣチップの制御を通じて受信されたパワーをセンサー及び薬物貯蔵所の駆動に使用することを特徴とする、請求項１６に記載のシステム。
【請求項２０】
前記コンタクトレンズは、外部の光を感知して電気に変換する光電素子（ｐｈｏｔｏｃｏｌｔａｉｃ）を追加して含むことを特徴とする、請求項１６に記載のシステム。
【請求項２１】
前記コンタクトレンズは、自家パワリングのためのフォトセル（ｐｈｏｔｏｃｅｌｌ）を追加して含むことを特徴とする、請求項１６に記載のシステム。
【発明の詳細な説明】
【技術分野】
【０００１】
本発明は、スマートコンタクトレンズ及びスマート眼鏡に関する。
【背景技術】
【０００２】
スマートデバイスを小型軽量に制作して身体に装着することで利便性を向上させたスマートウェアラブルデバイス（Ｓｍａｒｔ  ｗｅａｒａｂｌｅ  ｄｅｖｉｃｅ）に関する研究が非常に活発である。このようなスマートウェアラブルデバイスを本格的に研究して革新的な製品を市販しようとする代表的な会社としては、三星電子、アップル、グーグル、ナイキまたはアディダスなどがある。
【０００３】
グーグルでは、グーグルグラス２．０（Ｇｏｏｇｌｅ  Ｇｌａｓｓ  ２．０）に引き続きスマートウォッチ（Ｓｍａｒｔ  ｗａｔｃｈ）を発表したのであり、最近、スマートコンタクトレンズの開発を通じて新たに注目されている。このように世界の幾多の研究企業は、ｅ−ｈｅａｌｔｈシステムの発展に伴って人間の疾病を診断して治療するために多様な電子機器を開発している。また、一層便利に疾病を治療して注射と薬物の服用を規則的にするために、簡便にスマートフォンを利用して薬物伝達システムを調節し得る診断システムを開発した。
【０００４】
眼鏡は、主に視力の矯正または日光から目を保護するための安全の用途で使われている。現在提示された特殊眼鏡としては、電子機器を眼鏡に接合させて日常生活の便宜をはかったＧｏｏｇｌｅ−Ｘのグーグルグラス、ＲｅｃｏｎのＲｅｃｏｎ  Ｊｅｔ、Ｅｐｓｏｎ、Ｌｕｍｕｓ、Ｖｕｚｉｘ、Ｏａｋｌｅｙ、Ｌａｓｔｅｒ、Ｏｌｙｍｐｕｓ、Ｄｉｇｉｌｅｎｓ及びＭｉｃｒｏｓｏｆｔ  ＦｏｒｔａｌｅｚａとＳｏｎｙで開発した電子機器眼鏡などがある。このような特殊眼鏡を通じて写真を撮ったりビデオまたはオーディオを録画し得、眼鏡を通じて特定の画面を表示し得る。しかし、このような特殊眼鏡は、長期間使用するにはサイズが大きくて重いので不便であるという短所がある。一番最新の特殊眼鏡は、ｏｐｔｉｃａｌ  ｈｅａｄ−ｍｏｕｎｔｅｄ  ｄｉｓｐｌａｙ（ＯＨＭＤ）ｔｅｃｈｎｏｌｏｇｙ技術を利用したグーグルグラスである。前記グーグルグラスは、多様な機能が搭載された万能特殊眼鏡であるが、一般的に使用するにはパワーを多量に消費し、遅い速度によりディスプレイ変換が遅く、非常に高価であるという短所がある。
【先行技術文献】
【特許文献】
【０００５】
【特許文献１】大韓民国公開特許第２０１１−０１２７６５８号
【発明の概要】
【発明が解決しようとする課題】
【０００６】
眼疾患のうちの一つである新生血管疾患は、失明をもたらし得る深刻な疾病として、復旧が不可能で且つ継続的に進行するので、体内で規則的かつ正確にリアルタイムに診断するためのシステムが必要である。したがって、新生血管であるとき、眼内で過量分泌される一酸化窒素、血管表皮成長因子（ｖａｓｃｕｌａｒ  ｅｎｄｏｔｈｅｌｉａｌ  ｇｒｏｗｔｈ  ｆａｃｔｏｒ、ＶＥＧＦ）または糖を感知し得るセンサーが要求される。しかし、現在までに開発されて来た多様なセンサーは、多様な酵素、細胞、抗原または組職のようなセンサーの一部が流体内で不安定性を示すので、ターゲット物質を感知するには低い感知度を示す。したがって、ヒトの体液内でターゲット物質を正確に感知する技術が必要である。
【０００７】
また、眼球の疾患を治療するために眼に薬を投与する方法としては、眼薬、眼内注射及び手術を通じた薬物の挿入がある。しかし、眼薬の場合、涙による洗い出し現象により実際に眼球内には入る薬の量に限界があり、効率が非常に低い。眼内注射の場合、効率は良いが苦痛が連れる。手術を通じて薬物を挿入する場合は、多様な副作用が生ずる。したがって、効率を高めながら副作用を最小化するための薬物伝達システムが必要である。 
【０００８】
また、長期的な薬物の放出が必要な疾病の場合、規則的な薬物投与の複雑さを避けるために携帯電話やＰＣコントロールを利用した薬物伝達システムが必要である。現在、黄斑変性による視力消失を阻むために、遺伝的な治療を利用して血管表皮成長因子（ＶＥＧＦ）のような非正常的な血管増殖を誘発する多様な因子の活性を抑制する研究が行われているが、薬物の不安定性と低い効率による治療の限界により安定したウイルスベクターを利用した治療方法が必要である。
【課題を解決するための手段】
【０００９】
本発明は、疾病マーカーを感知し得るプローブが固定されたセンサー；及び眼球に接触するコンタクトレンズの内側面に外側に向けて引き入れられた形態の薬物ウェルに形成され、前記薬物ウェルは、金を含む電極パターンにより密封されている薬物貯蔵所を含み、前記センサーで疾病マーカーを感知したとき、薬物貯蔵所の電極パターンの金が生体内の塩素にとけてＡｕＣｌ４−になりつつ薬物貯蔵所がオープンするコンタクトレンズを提供する。
【００１０】
また、本発明は、疾病マーカーを感知し得るプローブが固定されたセンサー；及び薬物貯蔵所を含むコンタクトレンズの製造方法であって、前記薬物貯蔵所は、（ａ）一面に非晶質シリコーン層が形成された透明基板の前記非晶質シリコーン層上にバッファー層を形成し、前記バッファー層の一部面に金を含む電極パターンを形成する段階；（ｂ）前記電極パターンが形成されないバッファー層、及び電極パターン上に薬物が受容される薬物ウェルを含む薬物ウェル層を形成する段階；（ｃ）前記薬物ウェル層上にプラスチック基板を積層する段階；（ｄ）非晶質シリコーン層が形成されない透明基板の一面にレーザーを照射して非晶質シリコーン層を分離する段階を通じて製造されるコンタクトレンズの製造方法を提供する。
【００１１】
また、本発明は、疾病マーカーを感知し得るプローブが固定されたセンサー及び薬物貯蔵所を含むスマートコンタクトレンズ；及び無線で電気的な信号を送信して前記スマートコンタクトレンズのセンサー及び薬物貯蔵所の駆動を調節するスマート眼鏡を含むシステムを提供する。
【発明の効果】
【００１２】
本発明では、コンタクトレンズ内のセンサーを利用して疾病をリアルタイムで感知できるので、患者の疾病の進行状態を容易にかつ迅速に確認し得る。また、センサーは、高い安全性を有するので、流体内で長期間使用が可能であり、迅速な感知能力により一層正確に治療の可否を判断し得る。
【００１３】
また、センサーを通じた一酸化窒素（ＮＯ）、血管表皮成長因子（ＶＥＧＦ）または糖のような眼球内疾病マーカーの感知技術は、多様な癌診断システムに応用可能である。
【００１４】
コンタクトレンズ内に挿入される薬物貯蔵所は、電気的に調節して希望する時間に薬物の放出が可能なので、多様な眼疾患の治療のために適用され得る。
【００１５】
前記薬物貯蔵所内に挿入されるレンチウイルスが発現するアフリベルセプト（Ａｆｌｉｂｅｒｃｅｐｔ）は、安定的で効果の高い眼球新生血管治療剤である。
【００１６】
薬物貯蔵所を基盤とした電気的信号により調節可能な薬物伝達システムを利用して希望するときに、例えば、テトラサイクリンを放出し、前記テトラサイクリンによりｏｎ／ｏｆｆシステムで細胞内の薬物の生成が可能である。これを利用して眼疾患の治療に利用し得る。
【００１７】
また、本発明では、生体内に存在する兔疫グロブリン（ｉｍｍｕｎｏｇｌｏｂｕｌｉｎ）の特性を活用したハイブリッド（ｈｙｂｒｉｄ）Ｆｃを治療物質に導入することで、既存の抗体治療に比べて生物学的活性と体内持続力が高く、ＡＤＣＣ及びＣＤＣ反応に誘導される細胞死滅機能を遮断するタンパク質の発現を基盤とした進歩された治療遺伝子の導入方法を構築し得る。これを通じて、臨床に近接した動物実験及びナノシステムを利用した遺伝子伝達システムの製作が可能である。
【図面の簡単な説明】
【００１８】
【図１】糖センサーの構造を示した写真（ａ）、糖濃度による糖センサーのリアルタイムの電流変化を示したグラフ（ｂ）、及び糖以外の物質に対する糖センサーの電流変化を示したグラフ（ｃ）である。
【図２】薬物貯蔵所の正面写真（a）、断面構造模式図（ｂ）及びＳＥＭイメージ（ｃ）である。
【図３】柔軟基板上に製作された薬物貯蔵所の動作のための電流測定方法及び結果を示した図である。
【図４】薬物貯蔵所から薬物が放出される前後の写真（ａ）、蛍光ダイが放出された蛍光イメージ写真（ｂ）、時間による電流変化とともに放出される薬物の濃度を示したグラフ（ｃ、ｄ）、及びｍｅｔｆｏｒｍｉｎとｇｅｎｉｓｔｅｉｎを入れた薬物貯蔵所と薬物を入れない薬物貯蔵所のイメージ（ｆ−ｈ）である。
【図５】スマートコンタクトレンズの構造及び送受信過程を示したイメージである。
【図６】コンタクトレンズの特性評価結果を示した図である。
【図７】Ｔｅｔｒａｃｙｃｌｉｎｅにより抗血管新生因子の発現が調節されるようにするためのレンチウイルスの発現システムのイメージである。
【図８】レンチウイルスが感染した細胞でｔｈｅｒａｐｅｕｔｉｃ  ｇｅｎｅの発現をｍＲＮＡ及びタンパク質水準で確認した結果を示した図である。
【図９】ＤＯｘの有無によるＶＥＧＦＲ−Ｆｃ及びＰＤＧＦＲ−Ｆｃの発現を測定したグラフである。
【図１０】動物モデルでのＧＦＰを発現するレンチウイルスの眼球内発現の結果を示した図である。
【図１１】ＳＴＺを利用して糖尿病性網膜変症の動物モデルが構築されたことを確認した結果を示した図である。
【図１２】ＶＥＧＦＲ−Ｆｃ及びＰＤＧＦＲ−Ｆｃを発現するレンチウイルスが糖尿病性網膜変症の動物モデルの眼内で新生血管形成の抑制効果があることを確認した結果を示した図である。
【図１３】コンタクトレンズの製作過程と無線電気を利用したエネルギーの供給及びコードレス通信を示したイメージである。
【図１４】コンタクトレンズとスマート眼鏡の模型イメージである。
【図１５】スマート眼鏡のアウトラインイメージである。
【発明を実施するための形態】
【００１９】
本発明は、疾病マーカーを感知し得るプローブが固定されたセンサー；及び眼球に接触するコンタクトレンズの内側面に外側に向けて引き入れられた形態の薬物ウェルに形成され、前記薬物ウェルは、金を含む電極パターンにより密封されている薬物貯蔵所を含み、前記センサーで疾病マーカーを感知したとき、薬物貯蔵所の電極パターンの金が生体内の塩素にとけてＡｕＣｌ４−になりつつ薬物貯蔵所がオープンするコンタクトレンズを提供する。
【００２０】
本発明でコンタクトレンズは、シリコーンハイドロゲル（Ｓｉｌｉｃｏｎ  ｈｙｄｒｏｇｅｌ）、ポリ（２−ヒドロキシエチルメタクリレート）（ＰＨＥＭＡ）、ポリメタクリル酸メチル（ＰＭＭＡ）、ポリ（乳酸−グリコール酸）（ＰＬＧＡ）、ポリビニルピロリドン（ＰＶＰ）またはポリ酢酸ビニル（ＰＶＡ）の高分子を基盤とし得る。具体的に、前記コンタクトレンズは、シリコーンハイドロゲル（Ｓｉｌｉｃｏｎ  ｈｙｄｒｏｇｅｌ）またはポリ（２−ヒドロキシエチルメタクリレート）（ＰＨＥＭＡ）を基盤とし得る。
【００２１】
本発明によるコンタクトレンズは、内部にセンサー及び薬物貯蔵所を含む。
【００２２】
本発明でセンサーは、疾病マーカーを感知し得るプローブが固定されて前記プローブが疾病マーカーを感知することで疾病の有無を判断し得る。
【００２３】
前記疾病マーカーの種類は特別に制限されず、一酸化窒素（ＮＯ）、血管表皮成長因子（ＶＥＧＦ）、表皮生長因子（ＥＧＦ）、葡萄糖ラクトース、水分含有量、ＦＡＤ（ｆｌａｖｉｎ  ａｄｅｎｉｎｅ  ｄｉｎｕｃｌｅ）、ＢＳＡ（Ｂａｎｄｅｉｒａｅａ  ｓｉｍｐｌｉｃｉｆｏｌｉａ  ａｇｇｌｕｔｉｎｉｎ）、過酸化水素、酸素、アスコルビン酸塩（ａｓｃｏｒｂａｔｅ）、リゾチーム（ｌｙｓｏｚｙｍｅ）、鉄分、糖、ラクトフェリン（ｌａｃｔｏｆｅｒｒｉｎ）、リン脂質（ｐｈｏｓｐｈｏｌｉｐｉｄ）、滲透圧及び眼圧からなるグループから選択された一つ以上であり得、具体的に、一酸化窒素（ＮＯ）、血管表皮成長因子（ＶＥＧＦ）または糖であり得る。
【００２４】
また、プローブの種類は特別に制限されず、ヘミン（ｈｅｍｉｎ）、アプタマー、グルコースオキシダーゼ、抗原、抗体、ＲＮＡ及びＤＮＡからなるグループから選択された一つ以上であり得、具体的に、ヘミン（ｈｅｍｉｎ）、アプタマーまたはグルコースオキシダーゼであり得る。
【００２５】
本発明でセンサーは、疾病マーカーがプローブに結合して現われる電流の変化を感知して疾病の有無を判断し得る。
【００２６】
一具体例で、センサーは、一酸化窒素（ＮＯ）センサー、血管表皮成長因子（ｖａｓｃｕｌａｒ  ｅｎｄｏｔｈｅｌｉａｌ  ｇｒｏｗｔｈ  ｆａｃｔｏｒ、ＶＥＧＦ）センサーまたは糖センサーであり得る。
【００２７】
本発明では、前記一酸化窒素（ＮＯ）センサー、ＶＥＧＦセンサーまたは糖センサーを使用してヒトの体液内で疾患を正確に感知し得る。
【００２８】
前記一酸化窒素（ＮＯ）センサーは、一酸化窒素（ＮＯ）のみを選択的に感知するＰｏｌｙ（３、４−ｅｔｈｙｌｅｎｅｄｉｏｘｙｔｈｉｏｐｈｅｎｅ）（ＰＥＤＯＴ）チャンネルを基盤としたセンサーにヘミン（ｈｅｍｉｎ）分子を結合させて製造し得る。ＰＥＤＯＴとヘミン分子のパイパイ（π−π）電子結合により高い安全性を有し、ヘミンの一酸化窒素に対する高い結合力により前記センサーは流体内の一酸化窒素をリアルタイムで高い感知度で感知し得る。
【００２９】
また、ＶＥＧＦセンサーは、ナノワイヤ半導体と炭素ナノチューブ基盤のトランジスターを利用して高感度と正確性を有し、即刻的にＶＥＧＦの感知が可能である。具体的に、ＶＥＧＦセンサーは、ｎ−ｔｙｐｅとｐ−ｔｙｐｅの炭素ナノチューブトランジスターのゲートにａｎｔｉ−ＶＥＧＦアプタマーが結合され、前記アプタマーにＶＥＧＦ分子が結合されてＶＥＧＦを感知し得る。
【００３０】
一具体例で、上述のセンサーは、ＡＳＩＣチップと連結されて無線通信を可能にし得る。前記センサーは、ＡＳＩＣチップを通じて後述するスマート眼鏡から送信される電気的な信号を感知（受信）して駆動可能であり、また、センサーで感知された結果をスマート眼鏡に送信して前記スマート眼鏡で薬物貯蔵所の駆動を調節するように誘導し得る。
【００３１】
本発明で薬物貯蔵所は、薬物ウェルに形成され得る。前記薬物ウェルは、眼球に接触するコンタクトレンズの内側面が外側に向けて引き入れられた形態を有し、前記薬物ウェルは、金を含む電極パターンにより密封され得る。
【００３２】
一具体例で、前記薬物貯蔵所は、薬物；または薬物を放出し得る薬物伝達体及び薬物放出制御物質を含み得る。
【００３３】
ここで、薬物は、タンパク質薬物であり得、薬物伝達体は、前記タンパク質薬物を発現するウイルスベクターであり得る。
【００３４】
前記ウイルスベクターの種類は特別に制限されず、レトロウイルスベクター、バキュロウイルスベクター、パルボウイルスベクター、セムリキ森林ウイルス（ｓｅｍｉｌｉｋｉ  ｆｏｒｅｓｔ  ｖｉｒｕｓ）ベクター、カナリア痘ウイルス（ｃａｎａｒｙｐｏｘ  ｖｉｒｕｓ）ベクター、ワクチニアウイルス（ｖａｃｃｉｎｉａ  ｖｉｒｕｓ）ベクター、鶏痘ウイルス（ｖｏｗｌｐｏｘ  ｖｉｒｕｓ）ベクター、シンドビスウイルス（ｓｉｎｄｂｉｓ  ｖｉｒｕｓ）ベクター、アデノウイルスベクター、ピコルナウイルスベクター及びアルファウイルスベクターからなるグループから選択される一つ以上であり得る。具体的に、前記ウイルスベクターは、レンチウイルスベクターであり得る。
【００３５】
一具体例で、ウイルスベクターは、組換えベクターにより製造された組換えウイルスであり得る。前記組換えウイルスは、タンパク質薬物を暗号化する核酸配列を一つ以上含むＤＮＡカセットを含み得る。ここで、タンパク質薬物は、ＶＥＧＦＲ及びＰＤＧＦＲであり得、前記タンパク質薬物は、Ｆｃが連結されている融合タンパク質であり得る。
【００３６】
すなわち、ＤＮＡカセットは、転写／翻訳開始核酸配列を介して連結された、ＶＥＧＦＲ−Ｆｃを暗号化する核酸配列と、ＰＤＧＦＲ−Ｆｃを暗号化する核酸配列と、を含み得る。
【００３７】
前記転写／翻訳開始核酸配列は、ＩＲＥＳ（ｉｎｔｅｒｎａｌ  ｒｉｂｏｓｏｍｅ  ｅｎｔｒｙ  ｓｉｔｅ）核酸配列であり得る。
【００３８】
本発明で用語「ＩＲＥＳ（ｉｎｔｅｒｎａｌ  ｒｉｂｏｓｏｍｅ  ｅｎｔｒｙ  ｓｉｔｅ）」は、内部リボソーム流入点とも言い、真核細胞で一つのｍＲＮＡから多くのタンパク質の合成が可能にリボソームが直接結合するｍＲＮＡ内部に存在している特定領域を意味する。
【００３９】
一具体例で、ＤＮＡカセットは、テトラサイクリンまたはドキシサイクリンにより移入遺伝子の発現が制御され得る。
【００４０】
本発明による薬物貯蔵所で、電極パターンは金を含み得る。具体的に、前記電極パターンは、陽極であり得、Ｔｉ／Ａｕ／Ｔｉの構成を有し得る。
【００４１】
本発明の薬物貯蔵所は、後述するスマート眼鏡から送信された電気的な信号を感知（受信）すると、電極パターンの金が塩素にとけてＡｕＣｌ４−になりつつ前記電極パターンがオープンされて薬物貯蔵所内の薬物などが外部に放出され得る。
【００４２】
また、本発明は、疾病マーカーを感知し得るプローブが固定されたセンサー；及び薬物貯蔵所を含むコンタクトレンズの製造方法であって、前記薬物貯蔵所は、（ａ）一面に非晶質シリコーン層が形成された透明基板の前記非晶質シリコーン層上にバッファー層を形成し、前記バッファー層の一部面に金を含む電極パターンを形成する段階；（ｂ）前記電極パターンが形成されないバッファー層、及び電極パターン上に薬物が受容される薬物ウェルを含む薬物ウェル層を形成する段階；（ｃ）前記薬物ウェル層上にプラスチック基板を積層する段階；（ｄ）非晶質シリコーン層が形成されない透明基板の一面にレーザーを照射して非晶質シリコーン層を分離する段階を通じて製造されるコンタクトレンズの製造方法を提供する。
【００４３】
段階（ａ）では、透明基板、非晶質シリコーン層及びバッファー層が順次に形成されている構造のバッファー層上に電極パターンを形成する。
【００４４】
一具現例で、透明基板は、レーザーが透過可能なものであれば、その種類は特別に制限されず、ガラスまたはサファイアであり得る。非晶質シリコーン層は、水素が含有された非晶質シリコーン層（ａ−Ｓｉ：Ｈ）であり得る。前記透明基板及び非晶質シリコーン層上にレーザーを照射すると、非晶質シリコーン層内の水素は気化して、前記非晶質シリコーン層は透明基板から分離される性質を有し得る。
【００４５】
前記非晶質シリコーン層上に形成されるバッファー層は、レーザーから発生する熱と圧力を阻むことが可能なものであれば、その種類は特別に制限されず、例えば、二酸化珪素（ＳｉＯ２）を含み得る。後述する透明基板を通じてレーザーの照射時にレーザーはバッファー層を透過せず、前記レーザーの光学的エネルギーは熱エネルギーに転換されて、非晶質シリコーン層内の水素を気化し得る。
【００４６】
一具体例で、バッファー層上に積層される電極パターンは、四角形態の陽極と前記陽極に共通して連結された陰極からなり、前記電極パターンは、複数個の陽極がアレイを成す形態であり得る。前記電極パターンのうち陽極は金を含み得、具体的に、Ｔｉ／Ａｕ／Ｔｉで構成され得る。前記電極パターンの金は、電解質内で印加される電圧により電気分解されて除去され得る。したがって、前記電極パターンの陽極は、電圧により受容される薬物を伝達する通路のゲートとして利用できる。前記電極パターンは、バッファー層の一部面に形成され得る。
【００４７】
本発明で段階（ｂ）は、電極パターンが形成されないバッファー層及び電極パターン上に薬物が受容される薬物ウェルを含む薬物ウェル層を形成する段階である。
【００４８】
一具体例で、薬物ウェル層は、ＳＵ８（またはＳＵ−８ともいう）を含み得る。前記ＳＵ８は、ネガティブ（ｎｅｇａｔｉｖｅ）のエポキシ類型である近紫外線（ｎｅａｒ−ＵＶ）フォトレジストであり得る。
【００４９】
前記段階では、電極パターンが形成されないバッファー層、及び電極パターン上にＳＵ８を形成した後、前記ＳＵ８をパターニングして開口部を有する薬物ウェルを形成し得る。この時、薬物ウェルの開口部は、電極パターン、具体的に、陽極のパターン上に形成可能であり、前記開口部により下部の電極パターンのうち陽極が露出し得る。ＳＵ８の濃度、Ｓｐｉｎ−ｃｏａｔｉｎｇ条件、パターニングするマスクのサイズによって薬物ウェル（貯蔵所）のサイズを容易に調節し得る。
【００５０】
本発明で段階（ｃ）は、前記薬物ウェル層にプラスチック基板を積層する段階である。前記段階では、接着層が塗布されているフレキシブルプラスチック基板を薬物ウェル層に積層して薬物ウェルを密封し得る。前記塗布される形態の接着層の代わりに接着テープなどもプラスチック基板と薬物ウェル層の接着を目的として使用し得る。
【００５１】
本発明で段階（ｄ）は、非晶質シリコーン層が形成されない透明基板の一面にレーザーを照射して非晶質シリコーン層を分離する段階である。前記段階では、レーザーにより非晶質シリコーン層に含有された水素が気化し、前記非晶質シリコーン層に加わる圧力が増加しながら非晶質シリコーン及び透明基板が物理的、化学的に分離され得る。
【００５２】
一具体例で、段階（ｄ）を実行した後、バッファー層をパターニングして薬物ウェルと接触する電極パターンを露出させる段階を追加して実行し得る。
【００５３】
また、一具体例で、段階（ｄ）を実行した後、薬物ウェル層上にＳＵ８層を蒸着して前記ＳＵ８層及びバッファー層をパターニングして薬物ウェルと接触する電極パターンを露出させる段階を追加して実行し得る。
【００５４】
前記バッファー層をパターニングして電極パターンを露出させるときは、部分的に電極パターンを露出させ得る。
【００５５】
また、バッファー層をパターニングする前に、人体親和的な金属、例えば、金（Ａｕ）を蒸着して電極層を追加して形成し、前記電極層を窓模様にパターニングした後、電極パターン（陽極）が現われるようにバッファー層をパターニングし得る。これは陽極が非常に薄くて支持できる層をバッファー層上に形成し、３次元構造にしてサイズを最小しながら陰極と陽極の距離を最小化することで低い電力で駆動させるためである。
【００５６】
製造された薬物貯蔵所を体内に入れて陽極と陰極の間に電圧を加えると、電極パターンの陽極がＰＢＳの塩素にとけてＡｕＣｌ４−になりつつ電極パターン（陽極）に穴が開いて貯蔵所内に封入された薬物が放出され得る。
【００５７】
また、本発明では、疾病マーカーを感知し得るプローブが固定されたセンサー及び薬物貯蔵所を含むスマートコンタクトレンズ；及び無線で電気的な信号を送信して前記スマートコンタクトレンズのセンサー及び薬物貯蔵所の駆動を調節するスマート眼鏡を含むシステムを提供する。
【００５８】
本発明では、最尖端ｓｔａｔｅ−ｏｆ−ｔｈｅ−ａｒｔナノ材料とｏｎ−ｃｈｉｐ  ｏｐｔｏｅｌｅｃｔｒｏｎｉｃｓ、ｃｏｍｐｌｅｍｅｎｔａｒｙ  ｍｅｔａｌ−ｏｘｉｄｅ−ｓｅｍｉｃｏｎｄｕｃｔｏｒ（ＣＭＯＳ）、フレキシブルでバイオ親和性が好ましいｍｉｃｒｏ  ｅｌｅｃｔｒｏ−ｍｅｃｈａｎｉｃａｌ  ｓｙｓｔｅｍ（ＭＥＭＳ）及びｎａｎｏ  ｅｌｅｃｔｒｏ−ｍｅｃｈａｎｉｃａｌ  ｓｙｓｔｅｍ（ＮＥＭＳ）技術を利用してマイクロ単位の長距離調節が可能なスマート眼鏡を提供し得る。
【００５９】
前記スマート眼鏡で電気的なパワーは、ｈｙｂｒｉｄ  ａｕｔｏｐｏｗｅｒｉｎｇ（Ｍｉｎｉａｔｕｒｉｚｅｄ  ｐｈｏｔｏｖｏｌｔａｉｃ  ｓｙｓｔｅｍ  ｆｏｒ  ｐｏｗｅｒ  ｈａｒｖｅｓｔｉｎｇ）と無線ｉｎｄｕｃｔｉｖｅ  ｐｏｗｅｒ  ｔｒａｎｓｆｅｒ（Ｗｉｔｒｉｃｉｔｙ）技術を利用して示現可能であり、スマート眼鏡にあるＢｌｕｅｔｏｏｔｈ（登録商標）、ｉｎｆｒａ−ｒｅｄ（ＩＲ）とｒａｄｉｏ  ｆｒｅｑｕｅｎｃｙ（ＲＦ）を利用して無線通信ができる。
【００６０】
スマート眼鏡の駆動システムは、アンドロイドＯＳであり、ＯＭＡＰ  ４４３０  ＳｏＣ、ｄｕａｌ−ｃｏｒｅを利用したＣＰＵと４ＧＢ  ＲＡＭメモリーが装着され得る。ディスプレイ画面は、６４０×３６０ピクセルからなり、音響は、Ｂｏｎｅ  ｃｏｎｄｕｃｔｉｏｎ  ｔｒａｎｓｄｕｃｅｒを使用し得る。マイクを通じて音声を利用して光センサー、バイオセンサー、圧力、温度、アコースティックＥＭセンサーの機能を調節してスマートフォンやスマートウォッチ、ＰＣとペアリングされ得る。パワーは、内蔵された１００ｍＡｈリチウムイオン電池を使用し、自家パワリングのためにフォトセルが挿入され得る。総重量は、２０ｇ未満であり、Ｗｉ−Ｆｉ  ８０２．１１ｂ／ｇ、Ｂｌｕｅｔｏｏｔｈ、ｍｉｃｒｏ  ＵＳＢが可能である。搭載されたカメラを利用してＰｈｏｔｏｓ：＞１５ＭＰ；Ｖｉｄｅｏｓ：＞７２０ｐが可能である。
【００６１】
また、スマートコンタクトレンズでは、Ａｐｐｌｉｃａｔｉｏｎ  ｓｐｅｃｉｆｉｃｉｎｔｅｇｒａｔｅｄ ｃｉｒｃｕｉｔ（ＡＳＩＣ）チップを利用してセンサーと薬物貯蔵所を駆動することが可能であり、無線電気（ＷｉＴｒｉｃｉｔｙ）と光電素子（ｐｈｏｔｏｖｏｌｔａｉｃ）を利用してエネルギーの供給が受けられる。パワーの調節は、ｐｏｗｅｒ  ｍａｎａｇｅｍｅｎｔ  ｉｎｔｅｇｒａｔｅｄ  ｃｉｒｃｕｉｔ（ＰＭＩＣ）を利用して電圧と時間を適切に調節し得る。
【００６２】
一具体例で、センサーは、スマート眼鏡から送信された電気的な信号を通じて駆動し、前記信号が受信されたセンサーでは、疾病マーカーがプローブに結合して現われる電流の変化を感知し、その結果をＲＦ無線通信を通じて前記スマート眼鏡に送信し得る。
【００６３】
また、一具体例で、薬物貯蔵所は、スマート眼鏡から送信された電気的な信号を通じて駆動し、前記信号が受信された薬物貯蔵所では、前記薬物貯蔵所を密封する電極パターンの金が塩素にとけてＡｕＣｌ４−になりつつ前記電極パターンがオープンし得る。
【００６４】
前記スマート眼鏡の無線電気コイル（Ｗｉｔｒｉｃｉｔｙ  ｃｏｉｌ）から発生したパワーは、スマートコンタクトレンズの無線電気アンテナ（Ｗｉｔｒｉｃｉｔｙ  ａｎｔｅｎｎａ）で受信され、ＩＣチップの制御を通じて受信されたパワーをセンサー及び／または薬物貯蔵所の駆動に使用できる。
【００６５】
また、スマートコンタクトレンズは、外部の光を感知して電気に変換する光電素子（ｐｈｏｔｏｃｏｌｔａｉｃ）及び自家パワリングのためのフォトセル（ｐｈｏｔｏｃｅｌｌ）を追加して含み、生産されたパワーをセンサー及び／または薬物貯蔵所の駆動に使用できる。
【００６６】
［発明の実施のための形態］
以下、本発明を下記実施例により詳しく説明する。ただし、下記実施例は本発明の例示に過ぎず、本発明の内容が下記実施例に限定されるものではない。
【００６７】
製造例１．センサーの製作：糖センサーの製作
２５μｍ厚さのｐｏｌｙｅｔｈｙｌｅｎｅ  ｔｅｒｅｐｈｔｈａｌａｔｅ（ＰＥＴ）基板上に、作業電極（ｗｏｒｋｉｎｇ  ｅｌｅｃｔｒｏｄｅ、ＷＥ）、基準電極（ｒｅｆｅｒｅｎｃｅ  ｅｌｅｃｔｒｏｄｅ、ＲＥ）及び相対電極（ｃｏｕｎｔｅｒ  ｅｌｅｃｔｒｏｄｅ、ＣＥ）の３種の電極をシャドーマスクを利用して蒸着した。伝導性電極は、２０ｎｍのチタン（Ｔｉ）、１０ｎｍのパラジウム（Ｐｄ）及び２００ｎｍの白金（Ｐｔ）で構成され、電子ビームメタル蒸着機を利用して蒸着した。追加として、ＲＥは、Ａｇ／ＡｇＣｌインクとシャドーマスクを利用して２００ｎｍの銀（Ａｇ）でコーティングした。
【００６８】
また、２０ｍｇ・ｍＬ−１の濃度を有するようにｇｌｕｃｏｓｅ  ｏｘｉｄａｓｅ（ＧＯＸ）をｐｏｌｙ（３、４−ｅｔｈｙｌｅｎｅｄｉｏｘｙｔｈｉｏｐｈｅｎｅ）−ｐｏｌｙｓｔｙｒｅｎｅ  ｓｕｌｆｏｎａｔｅ（ＰＥＤＯＴ−ＰＳＳ）１０００溶液と混ぜた後、前記溶液２μｌを電極上にコーティングしてからｔｉｔａｎｉｕｍ  ｉｓｏｐｒｏｐｏｘｉｄｅ  ｖａｐｏｒ環境で固めた。
【００６９】
本発明で、図１の（ａ）は、本発明により製造された糖センサーのイメージである。
【００７０】
実験例１．センサーの反応
上述した製造例１で製造された糖センサーに対して、糖濃度による時間別電流測定変化及び他の物質に対する電流変化を測定した。
【００７１】
糖濃度による電流変化の場合、糖センサーとプローブステーションを連結した後に７００ｍＶをかけ、０、０．２５、０．５、１、２及び４ｍＭで糖の濃度を異にして投与した後、電流の変化を観察した。
【００７２】
前記電流変化の結果を図１に記載した。前記図１の（ｂ）は、糖濃度による糖センサーの時間別電流変化を測定した結果を示したグラフであり、図１の（ｃ）は、糖以外の物質に対する糖センサーの電流変化を測定した結果を示したグラフである。
【００７３】
図１に示したように、糖の濃度に比例して電流が増加することが確認でき、糖以外の物質（ＢＳＡ、Ｏｖａｌｂｕｍｉｎ、Ｆｅ、ＮａＣｌ、Ｌｙｓｏｚｙｍｅ、Ｌｉｐｏｃａｌｉｎ及びＫＣｌ）では電流の変化が感知されなかった。
【００７４】
製造例２．金箔薬物貯蔵所の製作
金箔薬物貯蔵所の製作は下記方法によって製作した。
【００７５】
前記薬物貯蔵所は、図１３の（ａ）〜（ｇ）による方法で製造した。
【００７６】
まず、ガラス基板を準備して（図１３の（ａ））、前記ガラス基板に水素が含有された非晶質シリコーン層（ａ−Ｓｉ：Ｈ）を蒸着し、前記非晶質シリコーン層上にバッファー層（二酸化珪素、ＳｉＯ２）を積層した後、前記バッファー層の一部面に電極パターンを積層した（図１３の（ｂ））。前記電極パターンは、複数個の陽極がアレイを成して陰極が窓模様を成す形態であり得る。前記電極パターンのうち陽極は、金を含み、具体的に、Ｔｉ／Ａｕ／Ｔｉであり得る。
【００７７】
その後、前記電極パターンが形成されないバッファー層及び電極パターン上に薬物ウェル層（ＳＵ−８）を形成した後、パターニングして開口部を有する薬物ウェルを形成した。前記パターニングは、電極パターン上に形成された薬物ウェル層で実行され、前記開口部を通じて電極パターンのうち陽極が露出した（図１３の（ｃ））。
【００７８】
薬物ウェル層に薬物をローディングして（図１３の（ｄ））、前記ウェル層上に接着層が塗布されているフレキシブルプラスチック基板（ＰＥＴ）を形成して薬物ウェルを密封した。
【００７９】
その後、ガラス基板の後面にレーザーを印加するレーザーリフトオープン工程を進行させた（図１３の（ｅ）−（ｆ））。これによって、前記非晶質シリコーン層に含有された水素が気化し、非晶質シリコーン層に圧力が増加しながらガラス基板及び非晶質シリコーン層がバッファー層から分離された。
【００８０】
その後、バッファー層をパターニングした後エッチングして、陰極及び／または陽極の一部を露出させて外部に電極を連結可能にした（図１３の（ｇ））。
【００８１】
また、本発明では、バッファー層をパターニングする前にＳＵ−８を追加して積層した後、電極パターン（陽極）が露出するようにエッチングしてもよい。
【００８２】
本発明で、図２は、本発明により製造された薬物貯蔵所の正面写真（ａ）、断面構造模式図（ｂ）及びＳＥＭイメージ（ｃ）を示す。前記図２の（ｃ）で、ＳＵ８−５０及びＳＵ８−５は、各々厚さが５０μｍ及び５μｍであることを意味する。
【００８３】
前記図２の（ａ）に示したように、本発明による方法を利用して薬物が多数の空間に別途に貯蔵された薬物貯蔵所を製造し得る。
【００８４】
また、前記図２の（ｂ）及び（ｃ）の構造を通じて、薬物貯蔵所の陽極と陰極の間に電圧を印加すると、電極パターンの陽極がＰＢＳの塩素にとけてＡｕＣｌ４−になりつつ陽極に穴があき、貯蔵所内に封入された薬物が放出される。これによって、ＭＥＭＳ基盤の薬物伝達システムを具現し得る。
【００８５】
実験例２．電気的な信号による薬物貯蔵所での薬物放出
上述した製造例２で製造された薬物貯蔵所を１．０ｍＭ、ｐＨ７．４ＰＢＳバッファー溶液に入れた後、５秒間１．８Ｖを陽極と陰極にかけた。
【００８６】
本発明で、図３は、薬物貯蔵所の電流変化を測定した結果である。
【００８７】
具体的に、図３の（ａ）は、薬物貯蔵所をベンディングする場合、薬物貯蔵所の作動に必要な電流を測定するために前記薬物貯蔵所を円柱上に付着した状態であり、図３の（ｂ）は、薬物貯蔵所を円柱上に配置した後のベンディング半径を示し、図３の（ｃ）は、薬物貯蔵所のベンディングによって薬物放出をするために必要な電流を測定した結果を示したグラフであり、図３の（ｄ）は、曲率半径が５、１０、１５、２０または２５ｍｍであるＰＤＭＳ（(Ｐｏｌｙｄｉｍｅｔｈｙｌｓｉｌｏｘａｎｅ)半球上に薬物貯蔵所を乗せたイメージ写真である。
【００８８】
前記図３に示したように、ベンディングに関係なく一定の電流下で薬物貯蔵所の薬物が放出されることが確認できる。
【００８９】
また、本発明で、図４は、薬物貯蔵所で薬物が放出される前後の写真（ａ）、蛍光ダイが放出された蛍光イメージ写真（ｂ）及び時間による電流変化（ｃ）とともに放出される薬物の濃度を示すグラフ（ｄ−ｅ）及びｍｅｔｆｏｒｍｉｎとｇｅｎｉｓｔｅｉｎを入れた薬物貯蔵所と薬物を入れない薬物貯蔵所のイメージ（ｆ−ｈ）である。
【００９０】
まず、（ａ）は、電気的な信号によって薬物貯蔵所から薬物が放出される前（左側写真）後（右側写真）の状態を示す。前記（ａ）を通じて電気的な信号の後に薬物貯蔵所から薬物が放出されつつ蛍光が発生することが確認できる。
【００９１】
（ｂ）は、電気的な信号によって薬物貯蔵所から薬物が放出される前（左側写真）後（右側写真）の蛍光イメージである。赤色染料が添加された薬物を利用した。（ｂ）を通じて電気的な信号の後に薬物貯蔵所から薬物が放出されつつ蛍光が発生することが確認できる。
【００９２】
（ｃ）は、時間による電流変化を示すグラフであり、（ｄ）〜（ｅ）は、放出される薬物の濃度を示すグラフである。本発明では、ｍｅｔｆｏｒｍｉｎ及びｇｅｎｉｓｔｅｉｎを薬物貯蔵所に各々添加してその放出濃度を測定した。（ｄ）〜（ｅ）では、薬物貯蔵所内に薬物がないリザーバーｗ／ｏ  ｄｒｕｇ、薬物があるリザーバーｗ  ｄｒｕｇから放出される薬物の量を初めて薬物をローディングした量ｄｒｕｇ  ｌｏａｄｅｄと比較した。前記グラフに示したように、５回の電気的な信号を加える度に薬物貯蔵所を阻む金箔がとけつつ３Ｍ程度の薬物が放出されることが確認できる。
【００９３】
また、（ｆ）〜（ｈ）は、ｍｅｔｆｏｒｍｉｎとｇｅｎｉｓｔｅｉｎを入れた薬物貯蔵所と薬物を入れない薬物貯蔵所のイメージである。前記グラフを通じて薬物がない貯蔵所では薬物放出濃度が０であるが、薬物がある貯蔵所では薬物が最初ローディングした量と類似して放出されることが確認できる。
【００９４】
製造例３．コンタクトレンズの製造
シリコーンを含む材料を利用してコンタクトレンズを製造した。
【００９５】
まず、ｍｅｔｈａｃｒｙｌｏｘｙｐｒｏｐｙｌ−ｔｒｉｓ（ｔｒｉｍｅｔｈｙｌｓｉｌｏｘｙ）ｓｉｌａｎｅ  １ｍＬを、Ｎ、Ｎ−Ｄｉｍｅｔｈｙｌ  ａｃｒｙｌａｍｉｄｅ（ＤＭＡ）０．６２ｍＬ、ｍｅｔｈａｃｒｙｌｏｘｙｐｒｏｐｙｌ（ＭＣ）−ＰＤＭＳ   ｍａｃｒｏｍｅｒｅ  １ｍＬ、ｍｅｔｈｙｌ  ａｃｒｙｌｉｃ  ａｃｉｄ（ＭＡＡ）０．３ｍＬ、エタノール０．１ｍＬ及びＮ−ｖｉｎｙｌｐｙｒｒｏｌｉｄｏｎｅ（ＮＶＰ）０．２ｍＬとともに窒素環境で１５分間混ぜた。そして、ｕｌｔｒａｖｉｏｌｅｔ（ＵＶ）ｉｎｉｔｉａｔｏｒであるＴＰＯ  １２μｇを入れて５分間混ぜて「溶液１」を製造した。
【００９６】
対照群としては、シリコーンを使用せず、ポリ（ヒドロキシエチルメタクリレート）（ｐｏｌｙ（ｈｙｄｒｏｘｙｅｔｈｙｌｍｅｔｈａｃｒｙｌａｔｅ）、ＰＨＥＭＡ）１ｍＬと架橋剤であるｅｔｈｙｌｅｎｅ  ｇｌｙｃｏｌ  ｄｉｍｅｔｈａｃｒｙｌａｔｅ（ＥＧＤＭＡ）２５μｌをＴＰＯ１２μｇと混ぜて「溶液２」を製造した。
【００９７】
前記製造された溶液１及び溶液２を０．２ｍＬを特殊製作されたポリプロピレン（ｐｏｌｙｐｒｏｐｙｌｅｎｅ、ＰＰ）モールド内でラジカル重合を実行した後、オゾンプラズマを利用してポリマーの表面を親水性にして、ＰＢＳ溶液に保管した。
【００９８】
その後、製造例１で製造された糖センサーをＡＳＩＣチップと連結して無線通信が可能にした後、前記ＰＢＳ溶液にｃｈｉｐと連結されたセンサー及び製造例２で製造された薬物貯蔵所を入れて、ポリプロピレン（ＰＰ）モールド内でラジカル重合させてレンズを製造した。
【００９９】
本発明で、図５は、スマートコンタクトレンズの構造及び送受信過程を示すイメージである。
【０１００】
前記図５に示したように、前記コンタクトレンズは、センサー及び薬物貯蔵所（ＤＤＳ）を含む構成を有する（図５の（ａ）参照）。
【０１０１】
また、前記製造されたコンタクトレンズは、レンズ内にセンサーと連結されたチップにより無線通信が可能である（図５の（ｂ）参照）。
【０１０２】
実験例３．コンタクトレンズの特性
上述した製造例３で製造されたコンタクトレンズの特性を評価した。
【０１０３】
前記評価の結果を図６に記載した。図６で、Ｓｉｌｉｃｏｎｅ  ｈｙｄｒｏｇｅｌは、製造例３で溶液１を使用して製造されたレンズを意味し、ＰＨＥＭＡは、溶液２を使用して製造されたレンズを意味する。ｐＨＥＭＡは、市販のレンズであり、Ｌｏｔｒａｆｉｌｃｏｎ  Ａは、市販のシリコーン材質のレンズである。
【０１０４】
図６の（ａ）は、Ｓｉｌｉｃｏｎｅ  ｈｙｄｒｏｇｅｌの構造を示す。前記（ａ）から、添加されたモノマーが適切に重合されたことが分かる。
【０１０５】
図６の（ｂ）は、レンズの分子構造を分析したグラフである。前記分子構造は、Ａｔｔｅｎｕａｔｅｄ  ｔｏｔａｌ  ｒｅｆｌｅｃｔａｎｃｅ−Ｆｏｕｒｉｅｒ  ｔｒａｎｓｆｏｒｍ  ｉｎｆｒａｒｅｄ  ｓｐｅｃｔｒｏｓｃｏｐｙ（ＡＴＲ−ＦＴＩＲ）（ＴＥＮＳＯＲ  ２７、Ｂｒｕｋｅｒ）を利用して分析した。
【０１０６】
図６の（ｃ）は、可視光線領域でのレンズの透過率（ｔｒａｎｓｍｉｔｔａｎｃｅ）を示すグラフである。前記透過率は、Ｖｉｓ  ｓｐｅｃｔｒｏｍｅｔｅｒ（ＳＣＩＮＣＯ）を利用して測定した。測定結果を通じて可視光線領域でのレンズの透明度が確認できる。
【０１０７】
本発明による方法により製造されたＳｉｌｉｃｏｎｅ  ｈｙｄｒｏｇｅｌ及びＰＨＥＭＡは、４００〜１０００ｎｍ波長で約１００％に近い透過率を示すことが確認できる。
【０１０８】
図６の（ｄ）は、レンズ別平衡水分含量（ｅｑｕｉｌｉｂｒｉｕｍ  ｗａｔｅｒ  ｃｏｎｔｅｎｔ）を示すグラフである。前記平衡水分含量は、乾いたレンズの重さ（Ｗｄｒｙ）と水分を含んだレンズの重さ（Ｗｗｅｔ）を制御する式を通じて計算した。
【０１０９】
<式１>
（Ｗｗｅｔ−Ｗｄｒｙ）／Ｗｄｒｙ  ｘ  １００
【０１１０】
前記図６の（ｄ）に示したように、本発明による方法により製造されたＳｉｌｉｃｏｎｅ  ｈｙｄｒｏｇｅｌは、他のレンズと比較して優れた水分含量を有することが確認できる。
【０１１１】
また、図６の（ｅ）及び（ｆ）は、時間による接触角（ｃｏｎｔａｃｔ  ａｎｇｌｅ）の変化を示すグラフ及び写真である。前記接触角は、ＦＥＭＴＯＦＡＢ、Ｓｍａｒｔｄｒｏｐを使用して測定した。具体的に、（ｅ）は、Ｓｉｌｉｃｏｎｅ  ｈｙｄｒｏｇｅｌ及びＰＨＥＭＡの接触角の変化を測定したグラフであり、（ｆ）は、Ｓｉｌｉｃｏｎｅ  ｈｙｄｒｏｇｅｌの接触角の変化を１６時間の間ポイント（１時間）ごとに観察した写真である。
【０１１２】
前記図６の（ｅ）及び（ｆ）に示したように、レンズは、時間の経過に従って接触角値が減少する傾向を示すが、本発明による方法により製造されたＳｉｌｉｃｏｎｅ  ｈｙｄｒｏｇｅｌは、他のレンズと比較して相対的に高い接触角を有することが確認できる。
【０１１３】
製造例４．遺伝子調節基盤の薬物伝達システム
血管新生を誘導する主な新生血管誘導因子を抑制する治療剤の開発を目的として遺伝子調節基盤の薬物伝達システムを導入した。
【０１１４】
眼球の新生血管生成を治療するために、抗血管新生（ａｎｔｉ−ａｎｇｉｏｇｅｎｉｃ）薬物であるアフリベルセプト（Ａｆｌｉｂｅｒｃｅｐｔ、ＶＥＧＦ−ｔｒａｐ）と血小板由来成長因子受容体（ｐｌａｔｅｌｅｔ−ｄｅｒｉｖｅｄ  ｇｒｏｗｔｈ  ｆａｃｔｏｒ  ｒｅｃｅｐｔｏｒ：ＰＤＧＦＲ）を同時に発現するレンチウイルスを製作した。
【０１１５】
前記アフリベルセプトは、Ｆｃ融合タンパク質（ｆｕｓｉｏｎ  ｐｒｏｔｅｉｎ）であって、ＶＥＧＦＲ１の２番ドメイン（Ｆｌｔ１）とＶＥＧＦＲ２の３番ドメイン（Ｆｌｋ１）のアミノ酸配列がＩｇＧ１  Ｆｃドメインに融合された形態であり、アメリカ特許第７,０７０,９５９号に記載されたものであり得る。
【０１１６】
アフリベルセプトとともに血小板由来成長因子受容体（ｐｌａｔｅｌｅｔ−ｄｅｒｉｖｅｄｇｒｏｗｔｈ  ｆａｃｔｏｒ  ｒｅｃｅｐｔｏｒ：ＰＤＧＦＲ）を同時に発現させると、血管周辺細胞の形成をより効果的に抑制し得る。本発明によるＰＤＧＦＲは、ＰＤＧＦＲの１番ドメイン、２番ドメイン及び３番ドメインのアミノ酸配列が融合した形態であり得る。これは、血管の消失や新生血管、そして出血のような血管の病変が進行された場合に適用が可能であり、アフリベルセプトと同様にＩｇＧ１  Ｆｃドメインが融合した形態で発現され得る。
【０１１７】
ここで、前記ＶＥＧＦＲタンパク質及びＰＤＧＦＲタンパク質と融合されるＩｇＧ１Ｆｃ領域は、変形された兔疫グロブリンのＦｃ領域であるハイブリッドＦｃに置換され得る。この時、変形された兔疫グロブリンのＦｃ領域は、Ｆｃ受容体及び補体（ｃｏｍｐｌｅｍｅｎｔ）との結合力が変形して抗体依存性細胞毒性（ＡＤＣＣ）または補体依存性細胞毒性（ＣＤＣ）が弱化したものであり得る。前記変形は、遺伝子変異を通じてＦｃ結合受容体の配列を置換または欠損させるなどの方法で達成できる。また、公知にされた技術に従って変形したＩｇＧ４を融合して発現させ得る。前記変形は、相違するタイプの兔疫グロブリンの配列を混合して製造し得る。
【０１１８】
本明細書で使用した用語「ハイブリッドＦｃ」は、相違する種類のＦｃ領域を組み合わせて製造されたものを意味する。前記ハイブリッドＦｃは、ヒトＩｇＤヒンジ領域、ヒトＩｇＤ  ＣＨ２ドメインのアミノ酸残基、ヒトＩｇＧ４のＣＨ２ドメインのアミノ酸残基及びヒトＩｇＧ４のＣＨ３ドメインのアミノ酸残基の部分を含むものであり得る。本発明によるハイブリッドＦｃ領域は、アメリカ特許第７,、８６７,、４９１号に記載されたものであり得る。これはタンパク質薬物の持続的で且つ安定的な発現を助ける役目を実行する。
【０１１９】
ＶＥＧＦＲ−Ｆｃタンパク質とＰＤＧＦＲ−Ｆｃタンパク質を共に発現させ得るレンチウイルスの製作のために、図７のようなＤＮＡカセットを製作した。
【０１２０】
この時、ＶＥＧＦＲ−Ｆｃタンパク質とＰＤＧＦＲ−Ｆｃを同時に発現できるようにＩＲＥＳを介してこれらタンパク質をコードする核酸配列を両側に配置し、ＶＥＧＦＲ−Ｆｃタンパク質とＰＤＧＦＲ−Ｆｃの発現がテトラサイクリン（ｔｅｔｒａｃｙｃｌｉｎｅ）のｏｎ／ｏｆｆシステムにより調節されるようにＤＮＡカセットを構成した。Ｔｅｔ−Ｏｎ  ａｄｖａｎｃｅｄ  ｓｙｓｔｅｍを利用した。このＴｅｔ−Ｏｎシステムは、テトラサイクリンあるいはテトラサイクリンの誘導体であるドキシサイクリンの存在時にのみ移入遺伝子の転写が起きる。Ｔｅｔ−Ｏｎシステムでは、テトラサイクリンの存在時に、ｔＴＡのようなテトラサイクリン調節用転写因子がテトラサイクリンオペレータープローモーターに結合して移入遺伝子を発現させる。
【０１２１】
テトラサイクリンを利用して移入遺伝子の発現を制御すると、正確で可逆的であり且つ効果的に時間的、空間的ｏｎ  ｄｅｍａｎｄ式の遺伝子誘導調節が可能な遺伝子を発現させ得る。
【０１２２】
したがって、本発明では、テトラサイクリンを使用して電気的な信号により希望する時に放出できる金箔薬物貯蔵所を製作し得る。
【０１２３】
患者が薬物を服用する時間になると、スマート眼鏡から電気的な信号を送って金箔（陽極）をとかし、薬物貯蔵所でテトラサイクリンとともにＶＥＧＦＲ−ＦｃとＰＤＧＦＲ−Ｆｃを発現し得るレンチウイルスが放出される。薬物貯蔵所には複数の薬物貯蔵空間が存在し得る。一つの薬物貯蔵空間には１回使用可能なテトラサイクリン及びレンチウイルスが存在し、前記薬物貯蔵所は、例えば、１ヶ月間使用可能な薬物貯蔵空間が存在し得る。前記薬物貯蔵所は、Ｍｉｃｒｏ−ｅｌｅｃｔｒｏ−ｍｅｃｈａｎｉｃａｌ  ｄｒｕｇ  ｄｅｌｉｖｅｒｙ  ｃｈｉｐｓがＡＳＩＣ  ｃｈｉｐに連結されてレンズ内部に存在する。
【０１２４】
製造されたＤＮＡカセットを２９３Ｔ細胞に形質注入（ｔｒａｎｓｆｅｃｔｉｏｎ）した後、ＶＥＧＦＲ−Ｆｃ及びＰＤＧＦＲ−Ｆｃ遺伝子を含むレンチウイルスが感染した２９３Ｔ細胞で前記遺伝子が発現することをｍＲＮＡ水準で確認した（図８の左側図）。図面において、２．５Ｇ−ＡｎｔｉＡＭＤ  １０ｎｇ  ＤＮＡは、陽性対照群を示し、ｍｏｃｋは、陰性対照群を示し、ＧＡＰＤＨ（Ｇｌｙｃｅｒａｌｄｅｈｙｄｅ  ３−ｐｈｏｓｐｈａｔｅ  ｄｅｈｙｄｒｏｇｅｎａｓｅ）は、増幅過程が同一に適用されたか否かなど本実験が正しく実行されたかが分かるコントロールとして使用した。
【０１２５】
これと共に、ＶＥＧＦＲ−Ｆｃ及びＰＤＧＦＲ−Ｆｃタンパク質の発現水準を確認した。すなわち、ＶＥＧＦＲ−Ｆｃ及びＰＤＧＦＲ−Ｆｃ遺伝子を含むレンチウイルスを２９３Ｔ細胞に感染させてウイルス内の各タンパク質の発現をＥＬＩＳＡ分析方法で確認した。ヒトＩｇＧ  ＥＬＩＳＡ  Ｑｕａｎｔｉｔａｔｉｏｎキット（Ｅ８０−１０４、Ｂｅｔｈｙｌ  Ｌａｂｏｒａｔｏｒｉｅｓ、Ｉｎｃ．,アメリカ）で確認し、実験は、各キットに含まれているマニュアルによって実行した。
【０１２６】
図８の右側グラフに示したように、ＶＥＧＦＲ−Ｆｃ及びＰＤＧＦＲ−Ｆｃ遺伝子を含むレンチウイルスが感染した２９３Ｔ細胞では、約１６０ｎｇ／ｍｌの高い濃度でヒトＩｇＧが発現することが確認できる。
【０１２７】
前記製作されたレンチウイルスベクターを、Ｌｉｐｏｆｅｃｔａｍｉｎｅを使用して２９３Ｔ細胞（５ｘ１０５ｃｅｌｌｓ）にｔｒａｎｓｆｅｃｔｉｏｎし、各々ドキシサイクリン（Ｄｏｘ）がある培地とない培地で４８時間の間培養した。培養培地でＶＥＧＦＲ−ＦｃとＰＤＧＦＲ−Ｆｃの発現をＦｃ  ＥＬＩＳＡを通じて測定した結果、Ｄｏｘが添加された状況でＦｃの発現が〜５００ｎｇ／ｍｌまで増加する一方、Ｄｏｘがない状況ではＦｃ発現が確認されなかった（図９）。これを通じてＴｅｔ−ｒｅｇｕｌａｔｉｏｎが正しく導入されたことを検証した。
【０１２８】
実験例４．動物モデルでのレンチウイルスの発現及び効果の確認
Ｍａｌｅ  ８週齢ＳＤ  ｒａｔモデルを３個のグループに分けてＬｅｎｔｉ／ＧＦＰ１０μｌをガラス体に導入してＧＦＰ発現を確認した。
【０１２９】
本発明で、図１０は、動物モデルでのレンチウイルスの発現の確認結果を示した図で、週（１−１２週（ｗ））によるグループの観察結果を示す。この時、ｈｉｇｈ、Ｍｉｄｄｌｅ及びＬｏｗは、Ｌｅｎｔｉ／ＧＦＰの感染力(ｉｎｆｅｃｔｉｖｉｔｙ)の各々の割合を１／１００に低めてｔｉｔｅｒを補正した。
【０１３０】
−１週：網膜全体的に蛍光が観察され、高濃度（Ｈｉｇｈ）が注射された網膜でＧＦＰ蛍光が他の二つの濃度より強く観察された。
【０１３１】
−２週：網膜は１週の網膜よりＧＦＰ蛍光強度が一層強くなり、Ｉｎｎｅｒｐｌｅｘｉｆｏｒｍ  ｌａｙｅｒ(IPL）Ｏｕｔｅｒ  ｐｌｅｘｉｆｏｒｍ  ｌａｙｅｒ（ＯＰＬ）で高く観察された。
【０１３２】
−４週：低濃度（Ｌｏｗ）と中間濃度（Ｍｉｄｄｌｅ）は２週とほぼ同じであるが、高濃度ではｇｒｅｅｎ発現するｃｅｌｌが観察された。
【０１３３】
−８週：低濃度では緑蛍光が弱くなり、高濃度では細胞で発現（矢印で表示）が観察された。
【０１３４】
−１２週：中間濃度と高濃度で発現（矢印で表示）が観察された。
【０１３５】
これを通じて、注入したレンチウイルスの発現が中間濃度と高濃度で３ヶ月以上持続することを観察した。また、高濃度で網膜の変性が観察されて中間濃度を適正濃度と選定した。
【０１３６】
また、動物モデルで糖尿性網膜病症を誘導するために、糖尿誘導菌及びＶＥＧＦＲ−Ｆｃ及びＰＤＧＦＲ−Ｆｃを発現するレンチウイルス処理群のラットに、６０ｍｇ／ｋｇの量でストレプトゾシン（ｓｔｒｅｐｔｏｚｏｔｉｃｉｎ、Ｓｉｇｍａ、アメリカ）を投与して糖尿を誘導し、投与１週間後、血糖を測定して前記ラットで糖尿を確認した（図１１）。
【０１３７】
以後、ＶＥＧＦＲ−Ｆｃ及びＰＤＧＦＲ−Ｆｃを発現するレンチウイルス処理群のラットをロムプン（Ｒｏｍｐｕｎ、ｘｙｌａｚｉｎｅ  ＨＣｌ２３．３ｍｇ／ｍｌ、Ｂａｙｅｒ、ドイツ）及びゾレチル（Ｚｏｌｅｔｉｌ  ５０、Ｖｉｒｖａｃ、アメリカ）を使用して全身痲酔した後、アルカイン（Ａｌｃａｉｎｅ、Ｐｒｏｐａｒａｃａｉｎｅ  ＨＣｌ０．５％、Ａｌｃｏｎ、アメリカ）で点眼痲酔をした。その後、痲酔されたラットの水晶体内に薬物を１０μｌのボリュームで注射した。この時、ＶＥＧＦＲ−Ｆｃ及びＰＤＧＦＲ−Ｆｃを発現するレンチウイルスは、２．８４ｘ１０１０ＴＵ／ｍｌ濃度で投与した。薬物投与４週後、全てのグループのラットを全身痲酔し、左心室にＤＥＸＴＲＡＮ−ＦＩＴＣ（分子量４０ｋＤａ１０ｍｇ／ｍｌ及び分子量１００ｋＤａ１０ｍｇ／ｍｌの混合物、Ｓｉｇｍａ−Ａｌｄｒｉｃｈ、アメリカ）を１ｍｌ注射した後、眼球を摘出した。摘出された眼球は１０％ホルマリンに固定し、ＰＢＳで洗浄した。洗浄した後、網膜のみを分離してガラススライド上においてｆｌａｔ  ｍｏｕｎｔした後、蛍光顕微鏡で観察した。その結果イメージは、１００倍で保存した。保存されたイメージで正常血管と血管周辺のＤｅｘｔｒａｎ−ＦＩＴＣ蛍光強度を測定し、正常の網膜と比較して薬物の効果を確認した。蛍光強度は、Ｉｍａｇｅ  Ｊプログラム（ｖｅｒ４．１、ＮＩＨ）を使用して測定した。
【０１３８】
その結果として、ＶＥＧＦによる血管漏水（ｌｅａｋａｇｅ）現象を顕微鏡で観察した結果、糖尿誘導群と比較してＶＥＧＦＲ−Ｆｃ及びＰＤＧＦＲ−Ｆｃを発現するレンチウイルスを処理したラットで血管漏水現象が有意的に減少して、前記製作されたレンチウイルスが眼内で新生血管形成の抑制効果を示すことを確認した（図１２）。
【０１３９】
製造例５．コンタクトレンズ及びスマート眼鏡を含むシステム
本発明で、図１３は、スマートコンタクトレンズの製作過程と無線電気を利用したエネルギーの供給及び無線通信を示す模式図である。
【０１４０】
前記図１３及び実施例２と実施例３で上述したように、コンタクトレンズは、薬物貯蔵所を製造して（図１３の（ａ）−（ｇ））、送信機コイル（ｔｒａｎｓｍｉｔｔｅｒ  ｃｏｉｌ）に前記製造された薬物貯蔵所、ＩＣチップ及びセンサーなどを結合させた後（図１３の（ｈ）−（ｊ））、レンズ材料に入れてモールディングして製造し得る（図１３の（ｋ））。
【０１４１】
この時、ＩＣは、相補性金属酸化膜半導体（Ｃｏｍｐｌｅｍｅｎｔａｒｙ−ｍｅｔａｌ−ｏｘｉｄｅ  ｓｅｍｉｃｏｎｄｕｃｔｏｒ、ＣＭＯＳ）を利用してマイクロ単位の集積回路（ｉｎｔｅｇｒａｔｅｄ  ｃｉｒｃｕｉｔ  ＩＣ）を構成し得る。前記集積回路の面積は、最大１ｍｍ×１ｍｍであり、厚さは、０．２ ｍｍである。
【０１４２】
本発明により製造されたコンタクトレンズは、無線電気（ＷｉＴｒｉｃｉｔｙ）を受信し、ＲＦシステムを通じてコンタクトレンズの情報をＰＣなどに伝達し得る。
【０１４３】
また、図１４は、コンタクトレンズとスマート眼鏡の模型を示し、図１５は、スマート眼鏡のアウトラインを示す。
【０１４４】
スマート眼鏡は、Ｏｎ−ｄｅｍａｎｄ薬物貯蔵所とセンサーの駆動のために無線で電気的な信号を送信し、ＲＦ無線通信を通じてスマート眼鏡で情報が受信される。特定用途志向集積回路（Ａｎ  ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）チップを介して無線電気と光電素子（ｐｈｏｔｏｖｏｌｔａｉｃ）を利用したエネルギー供給が可能であり、一酸化窒素とＶＥＧＦの感知のためにセンサー駆動のための適切な電圧を伝達する。
【０１４５】
薬物貯蔵所で希望する時に薬物を放出するために、スマート眼鏡で電気的な信号を調節する。
【０１４６】
具体的に、前記図１４のスマートコンタクトレンズで、ＩＣは、コンタクトレンズの全ての機能を制御することが可能であり、無線電気アンテナ（ＷｉＴｒｉｃｉｔｙ  Ａｎｅｔｅｎａ）は、スマートレンズの内側内径に製作されてスマート眼鏡から共振現象を通じて無線電気でパワーを受信することが可能であり、アンテナ（Ａｎｅｔｅｎａ）は、ＲＦシステムを通じてパワーを受け、再度ＲＦを通じて外部にスマートコンタクトレンズの情報（センサー糖濃度、薬物伝達濃度）などを伝送する役目を実行し得る。また、フォトセル（Ｐｈｏｔｏｃｅｌｌ）は、無線電気（Ｗｉｔｒｉｃｉｔｙ）、ＲＦ以外に太陽電池を通じて太陽光からエネルギーを受けることができる補助バッテリー手段であり得る。ＬＥＤは、スマートレンズの状態を伝達する手段であり得、光電素子（ｐｈｏｔｏｄｅｔｅｃｔｏｒ）は、眼または外部から来る光を感知してセンサー駆動を実行し得る。
【０１４７】
また、スマート眼鏡でＥｙｅｇｌａｓｓ  ＩＣは、眼鏡にある集積回路でスマート眼鏡の全ての機能を調節することが可能であり、無線電気コイル（ＷｉＴｒｉｃｉｔｙ  Ｃｏｉｌ）は、コンタクトレンズにパワーを与えるためのシステムとして、共振効果を通じて特定の周波数でスマートレンズにある無線電気アンテナ（ｗｉｔｒｉｃｉｔｙ  ａｎｔｅｎｎａ）にパワーを伝達することが可能であり、ＬＥＤ  ｉｎｄｉｃａｔｏｒｓは、コンタクトレンズの状態、眼鏡の状態などを知らせて、さらに別途のＬＥＤの信号周波数調節を通じてスマートＴＶの調節、電子機器の調節または飛行機計器盤の調節などを実行し得る。また、ＩＲ  ｔｒａｎｓｃｅｉｖｅｒｓ（トランシーバー）は、太陽または人工照明からＩＲ波長の光を受け入れて太陽電池のようにスマートレンズにパワーを充電する機能を実行し得る。
【産業上の利用可能性】
【０１４８】
本発明では、コンタクトレンズ内のセンサーを利用して疾病をリアルタイムに感知することができるので、患者の疾病の進行状態を容易にかつ且つ迅速に確認できる。また、センサーは、高い安全性を有するので、流体内で長期間使用が可能であり、迅速な感知能力により一層正確に治療の可否を判断し得る。
【図１】
0006703095.tif 000002
【図２】
0006703095.tif 000003
【図３】
0006703095.tif 000004
【図４】
0006703095.tif 000005
【図５】
0006703095.tif 000006
【図６】
0006703095.tif 000007
【図７】
0006703095.tif 000008
【図８】
0006703095.tif 000009
【図９】
0006703095.tif 000010
【図１０】
0006703095.tif 000011
【図１１】
0006703095.tif 000012
【図１２】
0006703095.tif 000013
【図１３】
0006703095.tif 000014
【図１４】
0006703095.tif 000015
【図１５】
0006703095.tif 000016